【手続補正書】
【提出日】平成18年12月19日(2006.12.19)
【手続補正１】
【補正対象書類名】明細書
【補正対象項目名】特許請求の範囲
【補正方法】変更
【補正の内容】
【特許請求の範囲】
【請求項１】  他の画像処理装置と通信する第１の通信手段と、
入力される原稿画像を記憶する画像記憶手段と、
装置の使用を許可するユーザのユーザＩＤ情報を記憶する第１のユーザＩＤ記憶手段と、
ユーザが前記ユーザＩＤを入力可能な操作入力手段と、
前記操作入力手段より入力されたユーザＩＤと前記第１のユーザＩＤ記憶手段に記憶されているユーザＩＤ情報とを照合する第１のユーザＩＤ照合手段とを備える第１の画像処理装置と、
前記第１の画像処理装置と通信する第２の通信手段と、
装置の使用を許可するユーザのユーザＩＤ情報を記憶する第２のユーザＩＤ記憶手段と、
前記第２の通信手段が前記第１の画像処理装置より送られてくるユーザＩＤを受け取ると前記第２のユーザＩＤ記憶手段に記憶されているユーザＩＤ情報と照合する第２のユーザＩＤ照合手段と、
前記第２のユーザＩＤ照合手段の照合結果を前記第２の通信手段を介して前記第１の画像処理装置に送信する照合結果送信手段とを備える第２の画像処理装置との少なくとも２つの画像処理装置を互いに接続してなる画像処理システムであって、
前記第１の画像処理装置は、更に、前記第２の画像処理装置よりの照合結果を受け取る照合結果受信手段と、
前記第１のユーザＩＤ照合手段による照合結果と前記照合結果受信手段で受け取った前記第２の画像処理装置よりの照合結果に応じて自装置及び前記第２の画像形成装置の画像処理動作を制御する動作制御手段を備えることを特徴とする画像処理システム。
【請求項２】  前記第１の画像処理装置の前記画像記憶手段は、読取手段で読み取った読み取り原稿画像を記憶することを特徴とする請求項１記載の画像処理システム。
【請求項３】  更に、前記第１の画像処理装置は前記第１のユーザＩＤ照合手段を有効または無効にする第１の照合制御手段を備え、前記第２の画像処理装置は前記第２のユーザＩＤ照合手段を有効または無効にする第２の照合制御手段を備えることを特徴とする請求項１又は請求項２記載の画像処理システム。
【請求項４】  前記第２の画像処理装置の前記照合結果送信手段は、前記第２のユーザＩＤ照合手段の照合結果とともに前記第２の照合制御手段の状態を前記第２の通信手段を介して前記第１の画像処理装置に送信することを特徴とする請求項３記載の画像処理システム。
【請求項５】  前記第１の画像処理装置の前記動作制御手段は、前記第１の照合制御手段及び第２の照合制御手段がともにユーザＩＤ照合手段を有効にしている場合には、前記第１のユーザＩＤ照合手段によるユーザＩＤが前記第１のユーザＩＤ記憶手段に記憶されているユーザＩＤ情報に対応し、前記第２のユーザＩＤ照合手段によるユーザＩＤが前記第２のユーザＩＤ記憶手段に記憶されているユーザＩＤ情報に対応する場合には、自装置及び前記第２の画像処理装置の画像処理動作を可能にすることを特徴とする請求項４記載の画像処理システム。
【請求項６】  前記第１の画像処理装置の前記動作制御手段は、前記第１の照合制御手段及び第２の照合制御手段がともにユーザＩＤ照合手段を無効にしている場合には、自装置及び前記第２の画像処理装置の画像処理動作を可能にすることを特徴とする請求項４又は請求項５記載の画像処理システム。
【請求項７】  前記第１の画像処理装置の前記動作制御手段は、前記第１の照合制御手段が前記第１のユーザＩＤ照合手段を無効にしている場合でかつ前記第２の照合制御手段が前記第２のユーザＩＤ照合手段を有効にしている場合には、自装置及び前記第２の画像処理装置の同時画像処理動作を禁止することを特徴とする請求項４乃至請求項６のいずれか１項に記載の画像処理システム。
【請求項８】  前記第１の画像処理装置の前記動作制御手段は、前記第１の照合制御手段が前記第１のユーザＩＤ照合手段を有効にしている場合でかつ前記第２の照合制御手段が前記第２のユーザＩＤ照合手段を無効にしている場合には、自装置及び前記第２の画像処理装置の画像処理動作を可能とすることを特徴とする請求項４乃至請求項７のいずれか１項に記載の画像処理システム。
【請求項９】  前記第１及び第２の画像処理装置は、画像を形成してプリント出力する画像形成装置であることを特徴とする請求項１乃至請求項８のいずれか１項に記載の画像処理システム。
【請求項１０】  前記第１の画像処理装置における各ユーザＩＤ毎のプリント量を記憶する第１のプリント量記憶手段と、
前記第２の画像処理装置における各ユーザＩＤ毎のプリント量を記憶する第２のプリント量記憶手段と、
前記第１の照合制御手段が有効な場合、使用しているユーザＩＤ毎に第１のプリント記憶手段にプリント量をカウントアップする第１のカウントアップ手段と、
前記第２の照合制御手段が有効な場合、使用しているユーザＩＤ毎に第２のプリント記憶手段にプリント量をカウントアップする第２のカウントアップ手段とを有することを特徴とする請求項９記載の画像処理システム。
【請求項１１】  少なくとも２つの画像処理装置より構成される画像処理システムにおける画像処理システムの制御方法であって、
第１の画像処理装置は、他の画像処理装置と通信する第１の通信手段と、装置の使用を許可するユーザのユーザＩＤ情報を記憶する第１のユーザＩＤ記憶手段とを備え、
ユーザが前記ユーザＩＤを入力するとユーザＩＤと前記第１のユーザＩＤ記憶手段に記憶されているユーザＩＤ情報とを照合し、
第２の画像処理装置は、前記第１の画像処理装置と通信する第２の通信手段と、装置の使用を許可するユーザのユーザＩＤ情報を記憶する第２のユーザＩＤ記憶手段とを備え、
前記第２の通信手段が前記第１の画像処理装置より送られてくるユーザＩＤを受け取ると前記第２のユーザＩＤ記憶手段に記憶されているユーザＩＤ情報と照合し、照合結果を前記第２の通信手段を介して前記第１の画像処理装置に送信し、
前記第１の画像処理装置は、更に、前記第２の画像処理装置よりの照合結果を受け取って、自装置におけるユーザＩＤ照合結果と前記第２の画像処理装置での照合結果に応じて自装置及び前記第２の画像形成装置の画像処理動作を制御することを特徴とする画像処理システム制御方法。
【請求項１２】  更に、前記第１の画像処理装置は自装置におけるユーザＩＤ照合処理を有効または無効に制御可能とし、前記第２の画像処理装置は自装置におけるユーザＩＤ照合処理を有効または無効に制御可能とすることを特徴とする請求項１１記載の画像処理システム制御方法。
【請求項１３】  前記第２の画像処理装置は、自装置におけるユーザＩＤ照合結果とともに自装置のユーザ照合処理の有効又は無効の状態を前記第２の通信手段を介して前記第１の画像処理装置に送信することを特徴とする請求項１２記載の画像処理システム制御方法。
【請求項１４】  前記第１の画像処理装置及び第２の画像処理装置がともにユーザＩＤ照合処理を有効にしている場合には、ユーザＩＤが前記第１のユーザＩＤ記憶手段に記憶されているユーザＩＤ情報に対応し、かつ前記第２のユーザＩＤ記憶手段に記憶されているユーザＩＤ情報に対応する場合には、前記第１の画像処理装置及び前記第２の画像処理装置の画像処理動作を可能にすることを特徴とする請求項１２又は請求項１３記載の画像処理システム制御方法。
【請求項１５】  前記第１の画像処理装置及び前記第２の画像処理装置がともにユーザＩＤ照合処理を無効にしている場合には、前記第１の画像処理装置及び前記第２の画像処理装置の画像処理動作を可能にすることを特徴とする請求項１２乃至請求項１４のいずれか１項に記載の画像処理システム制御方法。
【請求項１６】  前記第１の画像処理装置のユーザＩＤ照合処理を無効にしている場合でかつ前記第２の画像処理装置がユーザＩＤ照合処理を有効にしている場合には、前記第１の画像処理装置及び前記第２の画像処理装置の同時画像処理動作を禁止することを特徴とする請求項１２乃至請求項１５のいずれか１項に記載の画像処理システム制御方法。
【請求項１７】  前記第１の画像処理装置が前記ユーザＩＤ照合処理を有効にしている場合でかつ前記第２の画像処理装置がユーザＩＤ照合処理を無効にしている場合には、前記第１の画像処理装置及び前記第２の画像処理装置の画像処理動作を可能とすることを特徴とする請求項１２乃至請求項１６のいずれか１項に記載の画像処理システム制御方法。
【請求項１８】  前記第１の画像処理装置及び前記第２の画像処理装置におけるユーザＩＤ照合処理が有効なときには画像処理量を各ユーザＩＤ毎に蓄積することを特徴とする請求項１１乃至請求項１７のいずれか１項に記載の画像処理システム制御方法。
【請求項１９】  前記第１及び第２の画像処理装置は、画像を形成してプリント出力する画像形成装置であり、
前記第１の画像処理装置及び前記第２の画像処理装置におけるユーザＩＤ照合処理が有効なときには各ユーザＩＤ毎のプリント量をカウントアップして蓄積することを特徴とする請求項１１乃至請求項１７のいずれか１項に記載の画像処理システム制御方法。
【請求項２０】  前記請求項１乃至請求項１９のいずれか１項に記載の機能を実現するコンピュータプログラム。
【請求項２１】  前記請求項１乃至請求項１９のいずれか１項に記載の機能を実現するコンピュータプログラムを記憶したコンピュータ可読記憶媒体。